(57)【要約】本発明は、表示用スクリーン（４）及び入力用スクリーン（５）を備えたコードレス電話に関する。表示用スクリーン（４）は電話の第１の部分（１）に配置されており、入力用スクリーン（５）は電話の第２の部分（２）に配置されている。２つの部分（１、２）はヒンジ式に結合されており、折り畳み可能である。
2004512745.tif 000002
【特許請求の範囲】
【請求項１】
表示用スクリーン（４）及び入力用スクリーン（５）を備えたコードレス電話において、
該表示用スクリーン（４）は電話の第１の部分（１）に配置されており、該入力用スクリーン（５）は電話の第２の部分（２）に配置されており、該第１の部分（１）と該第２の部分（２）とがヒンジ式に結合されており、折り畳み可能であることを特徴とする、コードレス電話。
【請求項２】
閉じられた状態においては、前記表示用スクリーン（４）及び入力用スクリーン（５）は内側に配置されている、請求項１記載のコードレス電話。
【請求項３】
前記第２の部分には入力用のキー（８、９、１０）が設けられている、請求項１または２記載のコードレス電話。
【請求項４】
前記第２の部分（２）の背面はスタンド面（１３）として形成されている、請求項１から３のいずれか１項記載のコードレス電話。
【請求項５】
前記第１の部分（１）には、受話口ないしスピーカ（６）が設けられており、前記第２の部分（２）には外側にアンテナ（１１）が設けられている、請求項１から４のいずれか１項記載のコードレス電話。
【請求項６】
前記第１の部分（１）には入力ペン（７）が配置ないし挿入されている、請求項１から５のいずれか１項記載のコードレス電話。
【請求項７】
前記アンテナ（１１）は、電話が折り畳まれた状態において該アンテナ（１１）が前記入力ペンを固定するように形成されている、請求項６記載のコードレス電話。
【請求項８】
前記第２の部分にはバッテリが配置されている、請求項１から７のいずれか１項記載のコードレス電話。
【請求項９】
電話には電子的な簡易メモ帳ないし電子的な手帳が統合されている、請求項１から８のいずれか１項記載のコードレス電話。
【請求項１０】
電話は以下の機能を実施する、すなわちＳＭＳ、ファックス、メール、ＷＥＢブラウザ、インターネットとの接続、その他の商用アプリケーション、並びに全てのデータの更新及び全てのデータのＰＣとの同期を実施する、請求項１から９のいずれか１項記載のコードレス電話。
【発明の詳細な説明】
【０００１】
本発明は表示用スクリーンと入力用スクリーンとを備えたコードレス電話に関する。
【０００２】
このようなコードレス電話は例えばＱｕａｌｃｏｍｍ社より公知である。このモデルにおいては、入力用スクリーンと表示用スクリーンとが一体的に構成されている。キーボードを下部スクリーン領域の上方のヒンジ式カバーを介して畳むことができる。
【０００３】
入力用スクリーン領域を備えたこのような電話はいわゆるスマートフォンと称され、このスマートフォンは電子的な手帳ないし簡易メモと通常のコードレス電話とを組み合わせたもの、例えばＧＳＭ携帯電話を表す。したがってスマートフォンを用いることにより通話できるだけでなく、スマートフォンを同様に付加的にアドレス帳、カレンダーとして、またＳＭＳ、ファックス及びメールのため、並びにインターネットへのアクセスに使用することができ、その他の商用アプリケーションにも使用することができる。全てのアプリケーションをインターフェースを介して、ＰＣを用いて起動するないし同期させることができる。
【０００４】
携帯電話ないしスマートフォンの市場成果は適当なサイズ、重量並びに価格に非常に大きく左右される。これまでの携帯電話のモデルから知ることができるように、携帯電話がシャツまたは上着のポケットに適合するように重量及びサイズを縮小することが重要である。
【０００５】
スマートフォンにおいて重要な素子とは、表示用スクリーン並びに入力用スクリーンである。機器のサイズを縮小する際に、スクリーンは制限された要素である。何故ならばさらに縮小した場合には表示された物が判読不能になるかもしれないからである。さらには実際のスクリーンは実質的に、表示用に使用できるスクリーンよりも大きい。例えばパームパイロット（Ｐａｌｍ　Ｐｉｌｏｔ）ではスクリーンは７０×８０ｍｍ＝５６００ｍｍ２の大きさであるが、実際の表示領域は僅か１６０×１６０ピクセルでの５６×５６ｍｍ＝３１３６ｍｍ２と実質的により小さくなっている。スクリーンの残りの領域はテキスト入力及び二重機能のための入力領域として使用される。３１３６ｍｍ２＝１６０×１６０ピクセルの表示面積をさらに縮小することはできない。何故ならばこの解像度は判読可能性に対する下限を表しているからである。
【０００６】
したがって本発明の課題は、独立請求項に記載されているコードレス電話を、そのサイズが縮小されるようにさらに発展させることである。
【０００７】
この課題は本発明によれば、表示用スクリーンが電話の第１の部分にまた入力用スクリーンが電話の第２の部分に配置され、２つの部分がヒンジ式に結合されており、折り畳み可能であることによって解決される。
【０００８】
スクリーンを表示領域及び書込領域に分割することは、空間が非常に節約されている電話のデザインを可能にする。折り畳み可能な２つの部分によって、電話はその外寸が非常に小さくなり、開かれた状態では２つのスクリーン並びにキーボードのための大きな操作面積を提供する。
【０００９】
好適には２つのスクリーンは閉じられた状態では対向して内側に配置されている。例えば入力用スクリーンは、移動時の不所望の入力を回避するために保護されていなければならない。折り畳まれた状態によって２つのスクリーンは自動的に保護されている。
【００１０】
有利には、第２の部分に入力用キーボードが設けられており、第２の部分の背面はスタンド面として形成されている。
【００１１】
したがってこれによって、第２の部分を実用的に机上に置くことができ、第１の部分における表示用スクリーンをユーザに関して適切な角度に調整することができる。これによって入力用のキーボード及びスクリーンはユーザに関して、快適に操作すべく第２の部分の上面に配置されている。
【００１２】
有利な実施形態によれば、第１の部分には受話口が設けられており、第２の部分には外側にアンテナが配置されている。これによって、通話中にはアンテナが下方に位置しており、したがって良好なＳＡＲ値（Ｍｉｃｒｏｗａｖｅ　Ｈｅａｄ　Ｅｍｉｓｓｉｏｎ　Ｖａｌｕｅｓ）が生じる。
【００１３】
有利には第１の部分には入力ペンが挿入されており、この入力ペンは電話が折り畳まれた状態ではアンテナが入力ペンを固定するように配置されている。これによってこの入力ペンは２つの部分を開いた後に容易に取り外すことができる。
【００１４】
本発明のさらなる利点は従属請求項並びに以下の図面の説明に記載されている。
【００１５】
以下本発明を図面に図示した実施例に基づき詳細に説明する。ここで図１は、開かれた状態の電話の前面図である。図２は、折り畳まれた状態の電話の側面図である。
【００１６】
本発明による電話は実質的に第１の部分１と第２の部分２とから構成されており、これらの部分はヒンジ３を介して相互に結合されている。第１の部分１には表示用スクリーン４が配置されており、第２の部分２には入力用スクリーン５が配置されている。図２に示されているように、２つの部分１及び２は等しい大きさに形成されており、コンパクトに折り畳むことができる。
【００１７】
これによって入力用及び表示用の２つのスクリーンは相互に自動的に保護されている。何故ならば、２つのスクリーンは内側（折り畳まれる側）に配置されているからである。
【００１８】
第１の部分１にはさらに受話口６ないし一種のスピーカが設けられている。
【００１９】
第１の部分１には入力ペン７が挿入されており、この入力ペン７によって入力用スクリーン５での入力が行われる。
【００２０】
第２の部分２には携帯電話にとって慣例であるキーフィールド８が設けられており、このキーフィールド８に隣接してメニュー制御用のキー９が配置されている。
【００２１】
入力用スクリーン５の隣には別の機能キー１０が設けられている。
【００２２】
第２の部分の下部側にはアンテナ１１が設けられており、このアンテナ１１は折り畳まれた状態では同時に入力ペン７を固定するために使用される。それとともに部分２の下部側にアンテナ１１を配置するということは、このアンテナ１１が受話口６から十分に離れており、これによって頭部に対する非常に小さい放射値（ＳＡＲ値）が達成されるという利点を有する。
【００２３】
さらにキーフィールド８の下方では、中央にマイクロフォン１２が設けられている。
【００２４】
表示用スクリーン４と入力用スクリーン５とに分割することにより、また第１の部分と第２の部分とをヒンジ式に結合することにより、６６ｍｍ×１００ｍｍ×２５ｍｍの外形寸法及び２００ｇの重量を有するコードレス電話が達成される。アンテナ１１及び入力ペン７無しだと長手方向の長さは９５ｍｍである。これは、入力ペン７及び入力用スクリーン５並びに機能キー１０が組み込まれているにもかかわらず、市場においては慣例である非常に小さい携帯電話の寸法及び重量に相応する。
【００２５】
第２の部分２の外側はスタンド面１３として形成されているので、コードレス電話を簡単に机上に置くことができ、ノートブックのように表示用スクリーン４を備えた第１の部分１を開くことができる。第２の部分２にはバッテリが収容されているので、したがって重量の大部分が第２の部分２に配分されており、これによってこの第２の部分２は安定して机上に置かれる、または手に収まる。キーフィールド８、メニュー制御用キー９、入力用スクリーン５並びに機能キー１０のような入力領域は第２の部分に配置されている。したがってこれらのキーは机上に置く場合には、操作者にとっては非常に便利になるよう上面に配置されている。入力ペン７を開かれた第１の部分１から容易に引き抜くことができ、特別な措置を講じなくても入力終了後に再び挿入することができる。
【００２６】
スクリーンを２つの部分、しかも表示用のスクリーンと入力用のスクリーンとに分離することは、スクリーンでの入力中にも表示スクリーンが遮蔽されずに、入力中に全ての機能を入力スクリーンにおいて実行することができるというさらなる利点をもたらす。
【００２７】
したがって本発明によるコードレス電話によって、現在販売されている通常の小型携帯電話の重量及び大きさを備えた、パームパイロットとＧＳＭ携帯電話とを理想的に組み合わせたものを提供することができる。
【図面の簡単な説明】
【図１】
開かれた状態の電話の前面図でる。
【図２】
折り畳まれた状態の電話の側面図である。
【国際公開パンフレット】
2004512745.tif 000003
2004512745.tif 000004
2004512745.tif 000005
2004512745.tif 000006
2004512745.tif 000007
2004512745.tif 000008
2004512745.tif 000009
2004512745.tif 000010
2004512745.tif 000011
2004512745.tif 000012
【国際公開パンフレット（コレクトバージョン）】
2004512745.tif 000013
2004512745.tif 000014
【手続補正書】
【提出日】平成14年12月10日(2002.12.10)
【手続補正１】
【補正対象書類名】明細書
【補正対象項目名】特許請求の範囲
【補正方法】変更
【補正の内容】
【特許請求の範囲】
【請求項１】
表示用スクリーン（４）及び入力用スクリーン（５）を備えたコードレス電話であって、
該表示用スクリーン（４）は電話の第１の部分（１）に配置されており、該入力用スクリーン（５）は電話の第２の部分（２）に配置されており、該第１の部分（１）と該第２の部分（２）とがヒンジ式に結合されており、折り畳み可能であり、前記第２の部分には入力用のキー（８、９、１０）が設けられている、コードレス電話において、
閉じられた状態においては、前記表示用スクリーン（４）及び入力用スクリーン（５）は内側に配置されていることを特徴とする、コードレス電話。
【請求項２】
前記第２の部分（２）の背面はスタンド面（１３）として形成されている、請求項１記載のコードレス電話。
【請求項３】
前記第１の部分（１）には、受話口ないしスピーカ（６）が設けられており、前記第２の部分（２）には外側にアンテナ（１１）が設けられている、請求項１または２記載のコードレス電話。
【請求項４】
前記第１の部分（１）には入力ペン（７）が配置ないし挿入されている、請求項１から３のいずれか１項記載のコードレス電話。
【請求項５】
前記アンテナ（１１）は、電話が折り畳まれた状態において該アンテナ（１１）が前記入力ペンを固定するように形成されている、請求項４記載のコードレス電話。
【請求項６】
前記第２の部分にはバッテリが配置されている、請求項１から５のいずれか１項記載のコードレス電話。
【請求項７】
電話には電子的な簡易メモ帳ないし電子的な手帳が統合されている、請求項１から６のいずれか１項記載のコードレス電話。
【請求項８】
電話は以下の機能を実施する、すなわちＳＭＳ、ファックス、メール、ＷＥＢブラウザ、インターネットとの接続、その他の商用アプリケーション、並びに全てのデータの更新及び全てのデータのＰＣとの同期を実施する、請求項１から７のいずれか１項記載のコードレス電話。
【国際調査報告】
2004512745.tif 000015
2004512745.tif 000016
2004512745.tif 000017
2004512745.tif 000018
2004512745.tif 000019
2004512745.tif 000020